(57)【特許請求の範囲】
【請求項１】
主面側に撮影機材が固定され、雲台に固定される本体と、
携帯端末に当接する当接部、及び、前記当接部が先端側に設けられ、前記主面に沿う第１の姿勢、及び、前記主面に対して起立し、前記当接部を前記主面に対向させる第２の姿勢にできる、伸縮可能で縮む方向に付勢されるアームを備え、前記主面とともに前記当接部で前記携帯端末を挟持する可動部と、
を備えるクイックシュー。
【請求項２】
前記本体は、前記アームが前記第１の姿勢にあるときの前記可動部を配置する配置部を備え、
前記可動部の、前記アームが前記第１の姿勢にあるときの前記主面側となる面は、前記主面と面一または低い面に形成される、請求項１に記載のクイックシュー。
【請求項３】
前記アームは、前記第１の姿勢及び前記第２の姿勢の間で前記本体に回転可能に支持される、請求項１に記載のクイックシュー。
【請求項４】
前記アームは、前記第１の姿勢から前記第２の姿勢への回転が規制される、請求項３に記載のクイックシュー。
【請求項５】
請求項１乃至請求項４のいずれか１項に記載のクイックシューと、
前記クイックシューが着脱可能に固定される前記雲台と、
を備える三脚。
【発明の詳細な説明】
【技術分野】
【０００１】
本発明は、雲台に着脱可能に固定されるクイックシュー、及び、三脚に関する。
【背景技術】
【０００２】
従前から、カメラやビデオカメラ等の撮影機材を三脚に固定するために用いられるクイックシューが知られている。クイックシューは、例えば、固定用ねじを撮影機材の底面に形成されたねじ穴に螺合することで、撮影機材を固定できる。そして、クイックシューを三脚の雲台に固定することで、撮影機材を三脚に取り付ける。撮影機材を雲台に固定できるクイックシューとは別に、スマートフォン等の携帯端末を三脚に取り付ける取り付け具も知られている（例えば、特許文献１参照）。
【先行技術文献】
【特許文献】
【０００３】
【特許文献１】実用新案登録第３０９５７４０号公報
【発明の概要】
【発明が解決しようとする課題】
【０００４】
例えば屋外で撮影機材及び携帯端末を雲台に固定して使用する場合、使用者は、撮影機材を雲台に取り付けるクイックシュー及び携帯端末を雲台に取り付ける取付具のそれぞれを持ち運ぶ必要があるため、荷物が多くなるという問題がある。また、雲台に固定する対象を切り換える度に、クイックシュー及び取付具を交換する必要があり、作業が繁雑となる。
【０００５】
そこで本発明は、撮影機材及び携帯端末を選択的に固定可能なクイックシュー、及び、三脚を提供することを目的とする。
【課題を解決するための手段】
【０００６】
本発明のクイックシューは、主面側に撮影機材が固定され、雲台に固定される本体と、携帯端末に当接する当接部、及び、前記当接部が先端側に設けられ、前記主面に沿う第１の姿勢、及び、前記主面に対して起立し、前記当接部を前記主面に対向させる第２の姿勢にできる、伸縮可能で縮む方向に付勢されるアームを備え、前記主面とともに前記当接部で前記携帯端末を挟持する可動部と、を備える。
【発明の効果】
【０００７】
本発明は、撮影機材及び携帯端末を選択的に固定可能なクイックシュー、及び、三脚を提供できる。
【図面の簡単な説明】
【０００８】
【図１】本発明の一実施形態に係る三脚に固定された撮影機材、及び、同三脚の要部の構成を示す斜視図。
【図２】同撮影機材及びクイックシューが同三脚の雲台から取り外された状態を示す斜視図。
【図３】同クイックシュー及び同携帯端末の構成を示す斜視図。
【図４】同クイックシューを示す斜視図。
【図５】同クイックシューの構成を示す側面図。
【図６】同クイックシューの構成を示す断面図。
【図７】同クイックシューの構成を示す斜視図。
【図８】同クイックシューの構成を示す斜視図。
【図９】同クイックシューの構成を示す断面図。
【図１０】同クイックシューの構成を示す断面図。
【図１１】同クイックシューの変形例、及び、撮影機材の構成を示す斜視図。
【発明を実施するための形態】
【０００９】
本発明の一実施形態に係る三脚１及びクイックシュー１０を、図１乃至図１０を用いて説明する。図１は、三脚１に固定された撮影機材８及び三脚１の要部の構成を示す斜視図である。図２は、撮影機材８及びクイックシュー１０が三脚１の雲台３から取り外された状態を示す斜視図である。図３は、クイックシュー１０及び携帯端末９の構成を示す斜視図である。図４は、クイックシュー１０の構成を示す斜視図である。図５は、クイックシュー１０の構成を示す側面図である。図６は、クイックシュー１０の構成を示す断面図である。図７は、クイックシュー１０の構成を示す斜視図である。図８は、クイックシュー１０の構成を示す斜視図である。図９は、クイックシュー１０の構成を示す断面図である。図１０は、クイックシュー１０の構成を示す断面図である。
【００１０】
図１に示すように、三脚１は、例えば、三脚本体２と、雲台３と、クイックシュー１０と、を備える。  
三脚本体２は、複数例えば３本の脚４と、三脚用基部５と、を備えている。脚４は、例えば伸縮可能に構成されている。複数の脚４は、例えば等間隔に離間して三脚用基部５に設けられる。複数の脚４の端部は、三脚用基部５に対する開度を調整可能に、三脚用基部５に連結されている。三脚用基部５は、雲台３が設けられる。
【００１１】
雲台３は、例えば、クイックシュー１０が固定可能な雲台本体６と、レバー７と、を備えている。雲台本体６は、例えば、三脚用基部５に対する姿勢を調整可能に一軸回りに回転可能に三脚用基部５に支持される。ここで、一軸とは、例えば、脚４を下方としたときに、上下方向に対して直交する方向、具体的には、複数の脚４が同じ長さ及び同じ開度にされて水平面に載置されたときに水平方向に平行な軸である。
【００１２】
図２に示すように、雲台本体６は、例えば、クイックシュー１０の後述する被固定部３１が嵌る凹状に形成される。具体例として、雲台本体６は、例えば、主面が開口し、角錐台状に窪む形状である。また、雲台本体６は、ゲート６ａを有する。ゲート６ａは、例えば、雲台本体６の主面に直交する回転軸回りに回転可能に構成される。雲台本体６は、ゲート６ａを開くことで、主面の開口から雲台本体６内に被固定部３１を着脱可能となる。
【００１３】
レバー７は、雲台本体６に設けられる。レバー７は、三脚用基部５に対する雲台本体６の姿勢を調整するときに使用者により操作される操作部である。
【００１４】
図１乃至図６に示すように、クイックシュー１０は、本体２０と、本体２０に設けられる可動部４０と、を備えている。クイックシュー１０は、雲台本体６に固定される。クイックシュー１０は、撮影機材８及び携帯端末９を選択的に固定できる。
【００１５】
クイックシュー１０は、可動部４０を変位させることで、本体２０に対する２つの姿勢により、撮影機材８を固定可能な状態、及び、携帯端末９を固定可能な状態に切り替えることができる。クイックシュー１０は、撮影機材８を固定可能な状態にあるときに、本体２０及び可動部４０の外観形状が、従前のクイックシューの外観形状と同様の形状、例えば、矩形板状、矩形柱状、矩形錐台状等に形成される。
【００１６】
ここで、撮影機材８は、写真及び動画の少なくとも一方を撮影可能な装置であって、本体２０に設けられる固定部材３２に固定される被固定部を有する装置である。撮影機材８は、例えば、カメラやビデオカメラ等であり、被固定部としてのネジ穴を有する。また、回転防止や位置決めの為に、撮影機材８は、ビデオピンが挿入される穴を有していても良い。
【００１７】
また、携帯端末９は、写真及び動画の少なくとも一方を撮影可能な装置であって、固定部材３２に固定される被固定部を有さない装置である。携帯端末９は、例えば、タブレット、スマートフォンである。
【００１８】
本体２０は、撮影機材８及び携帯端末９を配置する主面２０ａを有する。また、本体２０は、可動部４０が配置される領域であって、可動部４０が配置されることでクイックシュー１０の外形状を従来のクイックシューと同様の外形状とする配置部２８を有する。具体例として、図４乃至図８に示すように、本体２０は、例えば、基部２１と、第１滑り止め部材３０と、被固定部３１と、固定部材３２と、回転防止部材３３と、を備えている。
【００１９】
図７に示すように、基部２１は、例えば、一方向に長く、長手方向で一端側の幅が他端側よりも広い矩形板状に形成される。基部２１は、基部本体２２と、第１凸部２３と、一対の第２凸部２４と、を備える。また、図６に示すように、基部２１は、固定部材３２を配置する第１孔２５と、回転防止部材３３を配置する第２孔２６と、を有する。
【００２０】
図６乃至図９に示すように、基部本体２２は、例えば、一方向に長い矩形板状に形成される。基部本体２２は、幅方向で中央側に第１凸部２３が一体に形成される。また、基部本体２２は、幅方向の両端部に一対の第２凸部２４が一体に形成される。また、基部本体２２は、他方の主面に、被固定部３１が一体に形成されるか、又は、一体に固定される。基部本体２２の例えば中央には、基部本体２２及び第１凸部２３を貫通する第１孔２５が形成されている。
【００２１】
第１凸部２３は、基部本体２２の厚さ方向の一方側から、厚さ方向に突出する矩形柱状に形成される。第１凸部２３は、例えば、基部本体２２の幅方向中央で基部本体２２の長手方向で一端から他端まで延びる。即ち、第１凸部２３の長手方向の寸法は、基部本体２２の長手方向の寸法と同じ寸法に設定され、そして、第１凸部２３の幅方向の寸法は、基部本体２２の幅方向の寸法よりも小さく設定される。また、第１凸部２３の厚さは、基部本体２２の厚さよりも大きく設定される。これにより、第１凸部２３が設けられた基部本体２２は、幅方向で、第１凸部２３から突出する。
【００２２】
また、図７に示すように、第１凸部２３の長手方向で一端側の先端面には、係合部２７が形成されている。ここで、一端側は、基部本体２２の幅が狭い側である。係合部２７は、第１凸部２３の長手方向に突出する突状に形成される。
【００２３】
係合部２７は、例えば、可動部４０の後述する被係合部４５が乗り越えることが可能に形成されている。例えば、可動部４０の後述するアーム４１の、第２の姿勢側から第１の姿勢への回転方向で被係合部４５が当接する面２７ａ、及び、第１の姿勢から第２の姿勢側への回転方向で被係合部４５が当接する面２７ｂは、例えば、アーム４１の回転方向に対して傾斜する面に形成されている。
【００２４】
図４に示すように、第２凸部２４は、基部本体２２の幅方向の端部に一体に形成される。第２凸部２４は、例えば、基部本体２２及び第１凸部２３の厚さの和と同じか、又は、同程度の厚さに設定される。第２凸部２４は、一方向に長い矩形柱状又は略矩形柱状に形成される。第２凸部２４の長手方向は、基部本体２２及び第１凸部２３の長手方向に沿って、基部本体２２に配置される。また、第２凸部２４の下面は、例えば、基部本体２２の下面と面一に設定される。即ち、第２凸部２４は、第１凸部２３と同方向に突出する。また、第２凸部２４の長手方向の一端は、基部本体２２の長手方向の中央側に配置され、そして、長手方向の他端は、基部本体２２の長手方向の端部から、該長手方向に突出する。一対の第２凸部２４の他端は、例えば、可動部４０を回転可能に支持する。例えば、第２凸部２４は、可動部４０の後述する軸部４７を軸支する開口２４ｂを他端に有する。
【００２５】
第１孔２５は、基部本体２２及び第１凸部２３を貫通する貫通孔である。第１孔２５は、例えば、基部本体２２及び第１凸部２３の幅方向及び長手方向で中央に形成されている。第１孔２５の、第１凸部２３の基部本体２２とは反対側の主面である上面側の縁部の一部は、径方向内側に突出する凸部２５ａに形成されている。
【００２６】
第２孔２６は、例えば、第１凸部２３の上面に形成される窪みである。第２孔２６は、第１孔２５に対して、第１凸部２３の長手方向で一方側に配置されている。第２孔２６は、例えば、円柱状の窪みである。
【００２７】
図６に示すように、第１滑り止め部材３０は、第１凸部２３の上面に設けられる。第１滑り止め部材３０は、第１凸部２３の上面の略全域に形成されている。第１滑り止め部材３０は、基部２１よりも摩擦係数が高い材料例えば樹脂やコルクで形成されている。
【００２８】
第１滑り止め部材３０の上面は、本体２０の主面２０ａを構成する。第１滑り止め部材３０の上面は、平面状である。第１滑り止め部材３０の上面は、第２凸部２４の上面と同じ位置か、又は、第２凸部２４の上面よりも高い位置に設定される。具体例として、第１滑り止め部材３０の上面は、第２凸部２４の上面２４ａよりも高く形成されるとともに、第１滑り止め部材３０の長手方向で中央よりも一端側の領域は、他の領域に比較して低く設定される。
【００２９】
また、第１滑り止め部材３０は、例えば、第１孔２５内の上部に収容される第１部分３５、及び、第２孔２６内の上部に収容される第２部分３６を有している。第１部分３５は、第１滑り止め部材３０の下面に突状に一体に形成されている。第１部分３５は、第１孔２５の凸部２５ａとともに、固定部材３２の一部を配置可能な孔を構成する。第２部分３６は、第１滑り止め部材３０の下面に突状に一体に形成されている。第２部分３６は、例えば、円筒状に形成されている。
【００３０】
第１滑り止め部材３０は、第３孔３０ａ及び第４孔３０ｂが形成されている。第３孔３０ａは、第１滑り止め部材３０の中央に形成されている。第３孔３０ａは、第１滑り止め部材３０を貫通し、第１孔２５に連通する孔である。第３孔３０ａは、例えば第１部分３５に形成されている。第４孔３０ｂは、第１滑り止め部材３０を貫通するとともに、第２孔２６に連通する孔である。第４孔３０ｂは、第２孔２６の開口よりも小径に形成される。第４孔３０ｂは、第２部分３６に形成されている。
【００３１】
配置部２８は、クイックシュー１０が撮影機材８を固定可能な状態であるときに可動部４０を配置可能に構成される。配置部２８は、例えば、主面２０ａに対するくぼみや、本体２０の周囲の領域により構成される。
【００３２】
本実施形態の例においては、配置部２８は、第１領域２８ａ、溝２８ｂ、窪み２８ｃ、及び、第２の領域２８ｄである。第１領域２８ａは、２つの第２凸部２４の基部本体２２から突出する一端部間の領域である。溝２８ｂは、第１凸部２３及び第２凸部２４の間の溝である。窪み２８ｃは、溝２８ｂに連続する窪みであって、第１凸部２３の長手方向で一端部の側方の窪みである。第２の領域２８ｄは、本体２０の周囲であって、一方の第２凸部２４の長手方向で一端から基部本体２２及び第１凸部２３の側方を通り他方の第２凸部２４までの領域である。
【００３３】
図４乃至図６に示すように、被固定部３１は、例えば基部本体２２の下面に形成されている。被固定部３１は、雲台本体６内に嵌る形状、例えば、角錐台筒状に形成される。図６に示すように、被固定部３１に、第１孔２５と連通する凹部３１ａが形成されている。
【００３４】
固定部材３２は、撮影機材８が固定可能に構成される。固定部材３２は、第１孔２５、第３孔３０ａ、及び凹部３１ａに回転可能に支持される、一端部が主面２０ａから上方に突出する棒状に形成される。例えば、固定部材３２の軸方向で中途部３２ｃは、軸方向で中途部３２ｃに連続する部位に比較して小径に形成される。固定部材３２は、中途部３２ｃが第１孔２５の凸部２５ａと対向配置され、中途部３２ｃに連続する部位が凸部２５ａに第１孔２５の軸方向で係合することで、第１孔２５、第３孔３０ａ及び凹部３１ａからの抜け止めがなされる。一端部３２ａは、撮影機材８のネジ穴に螺合するねじに形成される。固定部材３２の、凹部３１ａに配置される他端部３２ｂに、使用者が操作可能な操作部３２ｄが形成されている。ここで、操作とは、固定部材３２を回転する操作である。
【００３５】
回転防止部材３３は、撮影機材８の回転防止や位置決めを可能に構成される。回転防止部材３３は、第２孔２６及び第４孔３０ｂに配置される、例えば、ビデオピンである。回転防止部材３３は、例えば、ピン部材３３ａと、付勢部材３３ｂと、を備える。ピン部材３３ａは、一端部が主面２０ａから突出する位置及び一端部が主面２０ａと面一となる位置の間で移動可能に配置される。ピン部材３３ａの他端の縁には、第４孔３０ｂの縁に当接することでピン部材３３ａの抜け止めをする例えばフランジ状のストッパが形成されている。付勢部材３３ｂは、第２孔２６の底面、及び、ピン部材３３ａの間に設けられている。付勢部材３３ｂは、ピン部材３３ａを、主面２０ａから突出する方向に付勢する。
【００３６】
可動部４０は、伸縮可能であって縮む方向に付勢されるアーム４１と、アーム４１の一端側に設けられる当接部５０と、被係合部４５と、を備えている。可動部４０は、主面２０ａとともに当接部５０で携帯端末９を挟持する。
【００３７】
アーム４１は、本体２０に対して、第１の姿勢及び第２の姿勢にできる。第１の姿勢は、配置部２８の第１領域２８ａ、溝２８ｂ及び窪み２８ｃに配置され、長手方向が基部２１の長手方向に沿う姿勢である。第１の姿勢では、アーム４１は、主面２０ａに沿う。第２の姿勢は、主面２０ａに対して起立する姿勢である。アーム４１は、例えば基部２１に回転可能に支持されている。
【００３８】
アーム４１の、第１の姿勢にあるときに主面２０ａ側となる面は、第１の姿勢にあるときに主面２０ａと面一または主面２０ａよりも低くなる面に形成される。アーム４１は、例えば、２つの伸縮可能で縮む方向に付勢されるアーム部材４２と、連結部４３と、ストッパ４４と、を備えている。
【００３９】
２つのアーム部材４２の一端部は、第１領域２８ａに配置されており、第２凸部２４の長手方向で一端部に回転可能に支持されている。例えばアーム部材４２の一端部には、軸部４７が一体に形成または一体に固定されており、軸部４７が第２凸部２４の開口２４ｂに軸支されている。アーム部材４２は、第１の姿勢にあるときに溝２８ｂ及び窪み２８ｃに配置される。
【００４０】
２つのアーム部材４２の軸部４７側の一端部及び連結部４３は、基部２１の長手方向の端部に当接することで、アーム部材４２が第１の姿勢から第２の姿勢に向かって回転するときに、第２の姿勢を越えて回転することを防止する。アーム部材４２の一端部、連結部４３及び基部２１は、ストッパ４６を構成する。
【００４１】
アーム部材４２は、図７乃至図９に示すように、例えば、筒部材４２ａと、シャフト４２ｂと、付勢部材４２ｃと、を備えている。  
筒部材４２ａの一端部は、第２凸部２４に軸部４７により支持されている。アーム４１が第１の姿勢において、筒部材４２ａの上面（主面２０ａ）側となる面は、例えば、第２凸部２４の上面２４ａと面一となる。
【００４２】
シャフト４２ｂは、筒部材４２ａ内に軸方向に移動可能に配置されている。シャフト４２ｂの、筒部材４２ａ内に配置される端部には、径方向外側に突出する座４２ｄが設けられている。付勢部材４２ｃは、シャフト４２ｂを、筒部材４２ａ内に引き込む方向に付勢可能に、筒部材４２ａ及びシャフト４２ｂに設けられている。付勢部材４２ｃは、例えば、筒部材４２ａの内部空間の開口側端面、及び、シャフト４２ｂの座４２ｄ間に設けられている。付勢部材４２ｃは、例えば、コイルばねである。
【００４３】
連結部４３は、２つのアーム部材４２に設けられ、２つのアーム部材４２を連結する。連結部４３は、例えば、２つのアーム部材４２の第１領域２８ａ内に配置される一端部に一体に形成される。連結部４３の、第１の姿勢にあるときに主面２０ａ側となる面は、例えば筒部材４２ａと面一に形成される。
【００４４】
ストッパ４４は、アーム部材４２に当接することで、アーム部材４２がストッパ４４に当接した状態の長さから縮むことを防止可能に構成される。ストッパ４４は、例えば、一方向に長い形状に形成されており、２つのシャフト４２ｂの端部に亘って設けられる。ストッパ４４は、筒部材４２ａの端面に当接する。ストッパ４４は、第１の姿勢にあるときに、第２の領域２８ｄで、基部本体２２及び第１凸部２３に対して、第１凸部２３の長手方向で側方に配置される。また、ストッパ４４は、当接部５０が回転可能に支持される。例えば、ストッパ４４の長手方向で両端には、当接部５０を回転可能に支持する回転軸４４ａが設けられている。
【００４５】
当接部５０は、アーム４１の例えば軸部４７側とは反対側の一端側に設けられている。当接部５０は、例えば、アーム４１にアーム４１の長手方向に直交する回転軸回りに回転可能に設けられている。当接部５０は、アーム４１が最小長さで第１の姿勢にあるときに、第２の領域２８ｄで、基部本体２２及び第１凸部２３の幅方向で側方に配置可能に構成される。当接部５０は、例えば、２つの当接部本体５１と、２つの第２滑り止め部材５２と、ストッパ５３と、を備えている。また、当接部５０の、アーム４１が第１の姿勢にあるときの主面２０ａ側となる面は、主面２０ａと面一、または、主面２０ａより低い面に形成されている。
【００４６】
当接部本体５１は、一方向に長い形状に形成されている。当接部本体５１は、例えば、ストッパ４４に回転可能に支持される。例えば、当接部本体５１の一端部には、ストッパ４４の回転軸４４ａを軸支する開口５４が形成されている。当接部本体５１の一方の回転方向で先端側に、例えばくぼみ５１ａが形成されている。くぼみ５１ａは、当接部本体５１の長手方向で一端側から他端側まで延びている。当接部本体５１は、アーム４１が最小長さで第１の姿勢にあるときにアーム部材４２に沿う姿勢にある状態において、第２の領域２８ｄで、基部本体２２及び第１凸部２３の幅方向で側方に配置される。
【００４７】
当接部本体５１の長手方向の長さは、アーム４１が最小長さで第１の姿勢にあるときに、第２凸部２４と当接する長さ、または、第２凸部２４と間に小さな隙間を有する長さである。当接部本体５１の幅方向で外方の側面は、アーム４１が最小長さで第１の姿勢にあり、当接部本体５１がアーム部材４２に沿う姿勢であるときに、基部本体２２及び第２凸部２４と連続する面に形成される。
【００４８】
第２滑り止め部材５２は、当接部本体５１の例えばくぼみ５１ａに設けられている。第２滑り止め部材５２は、当接部本体５１の摩擦係数より大きい摩擦係数を有する材料例えば樹脂やコルクから形成されている。
【００４９】
ストッパ５３は、当接部本体５１に設けられている。ストッパ５３は、アーム４１に対する当接部本体５１の回転の角度範囲を、第３の姿勢及び第４の姿勢の間の角度範囲に設定する。第３の姿勢は、当接部本体５１がアーム部材４２に沿う姿勢である。第４の姿勢は、当接部本体５１の長手方向がアーム部材４２の長手方向に交差する姿勢であって、アーム４１が第１の姿勢にあるときに、第２滑り止め部材５２が主面２０ａに対向する姿勢である。第４の姿勢は、例えば、当接部本体５１の長手方向がアーム部材４２の長手方向に直交する姿勢である。
【００５０】
ストッパ５３は、例えば、一方向に長い形状に形成されており、ストッパ５３の長手方向の両端が２つの当接部本体５１の回転軸側の一端部に例えば一体に形成されている。ストッパ５３は、当接部本体５１が第３の姿勢及び第４の姿勢のそれぞれにあるときに、ストッパ４４に当接することで、当接部本体５１が第３の姿勢を超えて回転すること、及び、第４の姿勢を越えて回転することを防止する。
【００５１】
被係合部４５は、例えば、アーム４１のストッパ４４に設けられている。被係合部４５は、例えば、ストッパ４４の、アーム４１が第１の姿勢にあるときの第１凸部２３に面する部位に一体に形成されている。被係合部４５は、例えばストッパ４４から突出する突状に形成されている。被係合部４５は、第１の姿勢にあるアーム４１が第２の姿勢側に回転するときに、回転方向で係合部２７に当接することで、アーム４１の回転を防止可能に構成される。
【００５２】
被係合部４５は、例えば、係合部２７に当接した状態で回転方向に所定の力で押圧されると、係合部２７を乗り越えることが可能に形成される。例えば、被係合部４５の、アーム４１の第２の姿勢側から第１の姿勢への回転方向で面２７ａに当接する面４５ａは、回転方向に傾斜する傾斜面に形成されている。アーム４１の第１の姿勢から第２の姿勢側への回転方向で面２７ｂに当接する面４５ｂは、回転方向に傾斜する傾斜面に形成されている。
【００５３】
次に、撮影機材８をクイックシュー１０に固定する作業の一例を説明する。  
ここで、クイックシュー１０の第１状態Ｐ１及び第２状態Ｐ２を規定する。第１状態Ｐ１は、アーム４１が最小長さで第１の姿勢であり、当接部５０が第３の姿勢である状態である。第１状態Ｐ１では、本体２０及び可動部４０の外観形状は、矩形板状に構成される。第１状態Ｐ１は、撮影機材８を固定可能な状態である。第２状態Ｐ２は、アーム４１が最小長さで第２の姿勢であり、当接部５０が第４の姿勢である状態である。第２状態Ｐ２は、携帯端末９を取付可能な状態である。
【００５４】
撮影機材８の固定作業の一例として、クイックシュー１０が第２状態Ｐ２にある状態から作業を開始する例を説明する。使用者は、まず、クイックシュー１０を第１状態Ｐ１にする為に、例えば、当接部本体５１を回転して第３の姿勢にし、アーム４１を第１の姿勢側に回転する。回転により、アーム部材４２の一部が溝２８ｂ及び窪み２８ｃに配置され、ストッパ４４の一部及び当接部５０の一部が第２の領域２８ｄに配置される。使用者は、被係合部４５が係合部２７に当接すると、アーム４１を回転方向に押し込む。被係合部４５が係合部２７を乗り越えることで、アーム部材４２が基部本体２２の上面に当接する。これにより、アーム４１が第１の姿勢となり、アーム４１及び当接部５０が配置部２８に配置されることで、クイックシュー１０が第１状態Ｐ１となる。
【００５５】
または、使用者は、例えば当接部本体５１を回転して第３の姿勢にし、アーム４１を、被係合部４５が係合部２７に当接しない位置まで伸長させた状態で、基部本体２２の上面に当接するまで回転することで、アーム４１を第１の姿勢にする。そして、使用者は、アーム４１を第１の姿勢にすると、例えばアーム部材４２を伸長させた力をゆるめることでアーム部材４２を付勢部材４２ｃにより縮ませて最小長さにする。これにより、クイックシュー１０が第１状態Ｐ１となる。なお、クイックシュー１０が第１状態Ｐ１にある場合は、第２状態Ｐ２から第１状態Ｐ１にする作業を省略できる。
【００５６】
使用者は、クイックシュー１０を第１状態Ｐ１にすると、ピン部材３３ａを撮影機材８の穴に挿入してクイックシュー１０に対する撮影機材８の回転防止をするとともに、固定部材３２の操作部３２ｄを操作して一端部３２ａを撮影機材８のねじ穴に螺合させることで、撮影機材８をクイックシュー１０に固定する。撮影機材８が、ピン部材３３ａが挿入される穴を有さない構成である場合は、ピン部材３３ａは、撮影機材８によって基部２１内に押し込まれる。
【００５７】
次に、携帯端末９をクイックシュー１０に取り付ける取付作業の一例を説明する。携帯端末９の取付作業の一例として、クイックシュー１０が第１状態Ｐ１にある状態から作業を開始する例を説明する。
【００５８】
使用者は、クイックシュー１０を第１状態Ｐ１から第２状態Ｐ２にする為に、まず、係合部２７及び被係合部４５の係合を解除する。使用者は、例えば、アーム４１の回転方向で被係合部４５が係合部２７に当接しない長さにアーム部材４２を伸長させて回転させることで、係合を解除する。係合が解除されると、例えばアーム部材４２を伸長させた力をゆるめることでアーム部材４２を付勢部材４２ｃにより縮ませて最小長さにしてもよい。または、使用者は、被係合部４５を係合部２７に押圧させて係合部２７を乗り越えさせることで、係合部２７及び被係合部４５の係合を解除する。
【００５９】
使用者は、被係合部４５及び係合部２７の係合が解除されると、アーム４１を基部２１に当接するまで回転することでアーム４１を第２の姿勢にするとともに、当接部本体５１をストッパ５３がストッパ４４に当接するまで回転させることで第４の姿勢にする。これにより、クイックシュー１０が第２状態Ｐ２となる。
【００６０】
使用者は、第２状態Ｐ２となると、アーム部材４２を伸長させて、第１滑り止め部材３０から第２滑り止め部材５２までの距離を、携帯端末９の高さ寸法より長くして、主面２０ａに携帯端末９を載置する。次に、使用者は、アーム部材４２を縮めさせて第２滑り止め部材５２を携帯端末９に当接させる。第１滑り止め部材３０及び第２滑り止め部材５２が携帯端末９に当接し、アーム部材４２が縮む方向に付勢されることで、携帯端末９が挟持される。これにより、携帯端末９をクイックシュー１０に取り付ける作業が完了する。
【００６１】
このように構成されるクイックシュー１０によれば、撮影機材８及び携帯端末９を選択的に固定できるので、１つのクイックシュー１０によって、撮影機材８及び携帯端末９を三脚１に取り付けることが可能となる。この為、例えば外出先で撮影機材８及び携帯端末９を三脚１に固定する使用をする場合にクイックシュー１０を持ち運べばよいので、荷物を少なくできる。
【００６２】
さらに、基部２１は、配置部２８を有することで、第１状態Ｐ１にあるクイックシュー１０の外観形状を、撮影機材８を雲台３に固定できる従前のクイックシューの外観形状と同様の形状にできる。この為、撮影機材８を三脚１に固定する際のクイックシュー１０を、従前のクイックシューと同様に取り扱うことが可能となる。
【００６３】
さらに、アーム４１は、基部２１に回転可能に支持されるので、可動部４０を、第１状態Ｐ１及び第２状態Ｐ２の間で、簡単に変形することが可能である。
【００６４】
さらに、基部２１に係合部２７が形成され、可動部４０に被係合部４５が形成されることで、クイックシュー１０を撮影機材８から取り外した状態で、第１状態Ｐ１にあるクイックシュー１０のアーム４１が意図せずに回転することを防止できる。この為、クイックシュー１０を例えば鞄に入れて持ち運ぶ際に、アーム４１が鞄内で回転して鞄内の他のものと干渉することで破損するといった不具合の発生を防止できる。
【００６５】
さらに、本体２０及び当接部５０が滑り止め部材３０、５２を有するので、携帯端末９が、本体２０及び当接部５０に対して滑ることを防止できる。この為、携帯端末９を本体２０及び当接部５０に挟持させたのち、携帯端末９の姿勢が変化することを防止できる。
【００６６】
上述したように本発明の一実施形態に係るクイックシュー１０及び三脚１によれば、撮影機材８及び携帯端末９を選択的に固定できる。
【００６７】
なお、上述の例では、被係合部４５がアーム４１に設けられる構成が一例として説明されたが、これに限定されない。他の例では、被係合部４５は、当接部５０に設けられてもよい。例えば、図１１に示すように、被係合部４５は、当接部本体５１の長手方向の先端面に形成され、係合部２７は、例えば、第２凸部２４の長手方向の先端面に形成されてもよい。係合部２７及び被係合部４５は、互いに係合する形状であればよく、一方が凸状、他方が凹状に形成されてもよい。図１１に示す例では、例えば、係合部２７がくぼみに形成され、被係合部４５が凸状に形成されている。
【００６８】
また、上述の例では、固定部材３２は、基部２１の厚み方向で位置が固定される構成が一例として説明されたが、これに限定されない。他の例では、固定部材３２は、本体２０の主面２０ａから突出する位置、及び、主面２０ａと面一となる位置の間で移動可能に構成されてもよい。
【００６９】
また、上述の例では、アーム４１は、基部２１に回転可能に支持される構成が一例として説明されたが、これに限定されない。他の例では、アーム４１は、本体２０に対して着脱可能に構成され、第１状態Ｐ１のときの姿勢、及び、第２状態Ｐ２のときの姿勢で本体２０に固定できる構成であってもよい。
【００７０】
なお、本発明は、上記実施形態に限定されるものではなく、実施段階ではその要旨を逸脱しない範囲で種々に変形することが可能である。また、各実施形態は適宜組み合わせて実施してもよく、その場合組み合わせた効果が得られる。更に、上記実施形態には種々の発明が含まれており、開示される複数の構成要件から選択された組み合わせにより種々の発明が抽出され得る。例えば、実施形態に示される全構成要件からいくつかの構成要件が削除されても、課題が解決でき、効果が得られる場合には、この構成要件が削除された構成が発明として抽出され得る。
【符号の説明】
【００７１】
１…三脚、３…雲台、８…撮影機材、９…携帯端末、１０…クイックシュー、２０…本体、２０ａ…主面、２１…基部、２２…基部本体、２３…第１凸部、２４…第２凸部、２８…配置部、２８ａ…第１領域、２８ｂ…溝、２８ｄ…第２の領域、３０…第１滑り止め部材、４０…可動部、４１…アーム、４２…アーム部材、５０…当接部、５１…当接部本体、Ｐ１…第１状態、Ｐ２…第２状態。
【要約】
【課題】撮影機材及び携帯端末を選択的に固定可能なクイックシュー、及び、三脚を提供すること。
【解決手段】クイックシュー１０は、主面２０ａ側に撮影機材８が固定され、雲台３に固定される本体２０と、携帯端末９に当接する当接部５０、及び、当接部５０が先端側に設けられ、主面２０ａに沿う第１の姿勢、及び、主面２０ａに対して起立し、当接部５０を主面２０ａに対向させる第２の姿勢にできる、伸縮可能で縮む方向に付勢されるアーム４１を備え、主面２０ａとともに当接部５０で携帯端末９を挟持する可動部４０と、を備える。
【選択図】図３【図１】
0006872830.tif 000002
【図２】
0006872830.tif 000003
【図３】
0006872830.tif 000004
【図４】
0006872830.tif 000005
【図５】
0006872830.tif 000006
【図６】
0006872830.tif 000007
【図７】
0006872830.tif 000008
【図８】
0006872830.tif 000009
【図９】
0006872830.tif 000010
【図１０】
0006872830.tif 000011
【図１１】
0006872830.tif 000012